(57)【要約】【課題】床暖房パネルのパネル材を下地板に固定するための釘を、誤ってパネル材の薄肉部へ打ち込むことを防止できるようにする。【解決手段】熱媒体を通すチユーブを敷設するための床暖房パネルである。パネル材１５における一方の面１６に、チューブ２を敷設するための敷設溝３が形成される。他方の面１７における溝３の底部に相当する位置に、その位置が溝底部であることを表示する表示部１８が設けられている。表示部１８は、他方の面１７に形成された凹部によって形成することができる。【選択図】図１
2008151463.tif 000002
【特許請求の範囲】
【請求項１】
熱媒体を通す管を敷設するための床暖房パネルであって、一方の面に前記管を敷設するための敷設溝が形成され、他方の面における前記溝の底部に相当する位置に、その位置が溝底部であることを表示する手段が設けられていることを特徴とする床暖房パネル。
【請求項２】
溝底部であることを表示する手段が、他方の面に形成された凹部であることを特徴とする請求項１記載の床暖房パネル。
【発明の詳細な説明】
【技術分野】
【０００１】
本発明は床暖房パネルに関する。
【背景技術】
【０００２】
床暖房パネルは、建物の床部分に設置されるものであるが、たとえば特許文献１に記載されているように、熱媒体としての温水を通す管を敷設するための敷設溝が表面に形成されているのが一般的である。
【０００３】
このような床暖房パネルとして、たとえば図３に示すように、発泡樹脂製のパネル材１の表面に、温水を通す管としての樹脂製のチューブ２を敷設するための敷設溝３を形成したものが提案されている。敷設溝３は、チューブ２を湾曲させて敷設するときの案内となる湾曲部３Ａを有する。図４に示すように、この床暖房パネルを居室４の床部に敷設する場合には、暖房効率の観点から、居室４の中央部５のみに図３のチューブ２を敷設し、中央部５を囲む壁際部６には図３のチューブ２を敷設しないことが行われている。
【０００４】
図５において、７は居室４の下地板、８は壁である。下地板７の上にパネル材１が設置され、その上にフローリング材９が設置される。フローリング材９は中央部５のみならず壁際部６にも設置される。このとき、フローリング材９を設置するための基準面を形成するために、中央部５のほかに壁際部６にもパネル材１が設置される。ただし、誤って壁際部６にチューブ２を敷設しないように、壁際部６では、パネル材１を裏返しに設置して、その上面に敷設溝３が現れないように施工する。
【０００５】
パネル材１は、釘１０などによって下地板７に固定される。このとき、中央部５では、チューブ２を敷設すべき敷設溝３の位置を避けて釘１０の打ち込みが行われる。これは、敷設溝３に釘１０を打つと、その釘１０がチューブ２の敷設時に邪魔になるおそれがあるとともに、敷設溝３の部分では、パネル材１の肉厚が溝底部のみとなって薄く、このため釘１０が利かなくなるおそれがあることを理由とする。
【特許文献１】特開２００６−２９２３３２号公報
【発明の開示】
【発明が解決しようとする課題】
【０００６】
しかし、壁際部６では、上述のようにパネル材１を裏返しに設置して、その上面に敷設溝３が現れないように施工しているため、上側から眺めただけでは、敷設溝３がどこに位置しているのかが分かりにくい。
【０００７】
このため、誤って敷設溝３が形成されている部分に釘１０を打ってしまうことがあり、その場合は上述のようにパネル材１の肉厚が薄いために釘が利きにくくなるという問題点がある。しかも、上述のように上側から眺めただけでは敷設溝３がどこに位置しているのかが分かりにくいため、打ち込んだ釘１０が薄肉の敷設溝３の部分に打ち込まれたのか、あるいは十分な肉厚を有する部分に打ち込まれたのかを判別することが困難である。
【０００８】
そこで本発明は、床暖房パネルのパネル材を下地板に固定するための釘を、誤ってパネル材の薄肉部へ打ち込むことを防止できるようにすることを目的とする。
【課題を解決するための手段】
【０００９】
この目的を達成するために、本発明の、熱媒体を通す管を敷設するための床暖房パネルは、一方の面に前記管を敷設するための敷設溝が形成され、他方の面における前記溝の底部に相当する位置に、その位置が溝底部であることを表示する手段が設けられていることを特徴とするものである。
【００１０】
本発明によれば、溝底部であることを表示する手段が、他方の面に形成された凹部であることが好適である。
【発明の効果】
【００１１】
本発明によれば、床暖房パネルにおける熱媒体を通す管を敷設する敷設溝が形成された一方の面とは反対側の他方の面に、溝底部の位置を表示する手段を設けたため、この床暖房パネルを裏返したうえで釘うちにより下地材に固定するときに、溝が形成されている薄肉部分への釘うちを防止することができ、したがってパネルにおける敷設溝が形成されていない厚肉の部分に間違いなく釘打ちを行うことができて、このパネルを確実に下地材に固定することができる。
【発明を実施するための最良の形態】
【００１２】
図１は、本発明の実施の形態の床暖房パネルを構成するパネル材１５の斜視図である。１６はパネル材における一方の面であるが、この面１６には、図３に示したものと同様の敷設溝３が形成されている。
【００１３】
一方の面１６とは反対側の他方の面１７には、一方の面１６における敷設溝３が形成されている部分に対応する位置すなわち敷設溝３の溝底に対応する位置に、溝底であることを表示するために手段としての表示部１８が形成されている。この表示部１８は、図１の例では、敷設溝３の位置に設けられた凹部によって形成されている。この凹部にて形成された表示部１８は、作業者によって認識されるものであれば足りるため、敷設溝３に比べて浅く形成されている。また平面視の形状も、敷設溝３のようにチューブ２を案内するための図３に示す湾曲部３Ａを設ける必要がないため、敷設溝３に比べて単純化されたものとされている。
【００１４】
図２は、パネル材１５の設置状況を示す。すなわちパネル材１５は、中央部５では敷設溝３を上向きとして設置され、壁際部６では表示部１８を上向きとして設置されている。そして、中央部５では敷設溝３を避けた位置で釘打ちされることにより下地板７に固定され、壁際部６では表示部１８を避けた位置で釘打ちされることにより下地板７に固定されている。敷設溝３には、チューブ２が敷設されている。
【００１５】
これによって、中央部５のみならず、壁際部６においても、敷設溝３が形成されている薄肉部分への釘うちを防止することができる。このため、パネル材１５における敷設溝３が形成されていない厚肉の部分に間違いなく釘打ちを行うことができて、パネル材１５を確実に下地板７に固定することができる。
【００１６】
パネル材１５は発泡樹脂やその他の樹脂によって形成されていることが好適であり、その場合は、発泡成形時において同時に敷設溝３と表示部１８とを成形することができるなどの利点がある。
【００１７】
表示部１８は、敷設溝３の溝底部を表示できるものであれば足り、凹部は、上記のように連続したもののほかに、たとえば点線状や破線状などの不連続なものでも差支えない。また、上記した凹部に代えて、着色部などの他の態様によって実現したものであっても差支えない。
【図面の簡単な説明】
【００１８】
【図１】本発明の実施の形態の床暖房パネルを構成するパネル材の斜視図である。
【図２】図１のパネル材の設置状況を示す図である。
【図３】従来の床暖房パネルを構成するパネル材の斜視図である。
【図４】居室における床暖房パネルの設置方法を示す平面図である。
【図５】図３のパネル材の設置状況を示す図である。
【符号の説明】
【００１９】
２    チューブ
３    敷設溝
７    下地板
１５    パネル材
１６    一方の面
１７    他方の面
１８    表示部
【図１】
2008151463.tif 000003
【図２】
2008151463.tif 000004
【図３】
2008151463.tif 000005
【図４】
2008151463.tif 000006
【図５】
2008151463.tif 000007